(57)【要約】【課題】  ドラムのつば部や組立てボルトの破損を防止でき、しかも、ケレーからの負荷をドラムのつば部に分散させることができ、強度的に優れ、そのうえ作業性がよく、コスト的にも有利な巻き取り治具を提供すること。【解決手段】  略筒状の胴部５の両端に一対のつば部６を設けたドラム１に電線を巻き取る際に用いられる巻き取り治具７である。裏面７ｂ側からつば部６の外面に設けた凹所８に着脱可能に嵌め込まれる嵌入部９が突設され、電線巻取り機のケレー３により回転される突起部１０を表面７ａ側に向けて突設させた。【選択図】        図１
2005187103.tif 000002
【特許請求の範囲】
【請求項１】
略筒状の胴部の両端に一対のつば部を設けたドラムに電線を巻き取る際に用いられる巻き取り治具であって、裏面側から上記つば部の外面に設けた凹所に着脱可能に嵌め込まれる嵌入部が突設され、電線巻取り機のケレーにより回転される突起部を表面側に向けて突設させてなることを特徴とする巻き取り治具。
【請求項２】
上記ケレーにより回転される突起部が、巻き取り治具の中心部よりもつば部の中心側に偏って位置していることを特徴とする請求項１記載の巻き取り治具。
【請求項３】
上記ケレーにより回転される突起部と対向する裏面側から嵌入部を突設させたことを特徴とする請求項１又は２記載の巻き取り治具。
【請求項４】
上記略筒状の胴部の両端と一対のつば部とが複数の組立てボルトを用いて組み立てられ、各組立てボルトの頭部がつば部の外面に突出しており、各組立てボルトの頭部を結ぶ周方向エリアまたは頭部よりも内側の中心エリア内に、上記ケレーにより回転される突起部が位置していることを特徴とする請求項１乃至３のいずれかに記載の巻き取り治具。
【請求項５】
上記つば部の外面の凹所に嵌め込まれる嵌入部は、つば部の中心部に最も近い凹所に嵌め込まれる内側嵌入部と、内側嵌入部が嵌め込まれる凹所よりも外周側の凹所に嵌め込まれる外側嵌入部とを備え、上記ケレーにより回転される突起部が突設されていることを特徴とする請求項１乃至４のいずれかに記載の巻き取り治具。
【請求項６】
略筒状の胴部の両端に一対のつば部を設けたドラムに電線を巻き取る際に用いられる巻き取り治具であって、表面がフラットに形成され、裏面側にドラムのつば部の外面に設けた凹所に着脱可能に嵌め込まれる嵌入部が突設されると共に、つば部の外面から突出する治具固定ボルトが貫通するボルト孔を備え、このボルト孔から表面側に向けて、電線巻取り機のケレーにより回転される治具固定ボルトの先端を突出させてなることを特徴とする巻き取り治具。
【発明の詳細な説明】
【技術分野】
【０００１】
本発明は、巻き取り治具に関し、詳しくは略筒状の胴部の両端に一対のつば部を設けたドラムに電線を巻き取る際に用いられる巻き取り治具に関するものである。
【背景技術】
【０００２】
従来から、電線を撤去する際に、図６、図７に示すように、電線巻取り機５０のケレー３をつば部６と胴部とを連結するための長ボルトからなる組立てボルト２の頭部２ａに係合し、ケレー３を回転させることでドラム１を回転させて電線４の巻き取りを行なうことが知られている（例えば、特許文献１参照）。なお図６中の５１は軸受、５２は動力発生部５６の架台、５４は基台５３のレール、５５は回転シャフト、５７は昇降用モータ、５８はドラム１を昇降自在に取り付ける柱である。
【０００３】
上記特許文献１に示される従来例にあっては、図７（ａ）に示すように、略筒状の胴部５の両端と一対のつば部６とが組立てボルト２を用いて組み立てられており、組立てボルト２の頭部２ａをケレー３で回転させているため、ケレー３による負荷が組立てボルト２の１点に集中してしまい、図７（ｂ）、（ｃ）に示すように、組立てボルト２によってつば部６が破損するという問題があった。
【特許文献１】特開平９−１４２７３２号公報
【発明の開示】
【発明が解決しようとする課題】
【０００４】
本発明は上記の従来の問題点に鑑みて発明したものであって、ドラムのつば部や組立てボルトの破損を防止でき、しかも、ケレーからの負荷をドラムのつば部に分散させることができ、強度的に優れ、そのうえ作業性がよく、コスト的にもきわめて有利な巻き取り治具を提供することを課題とするものである。
【課題を解決するための手段】
【０００５】
上記課題を解決するために本発明は、略筒状の胴部５の両端に一対のつば部６を設けたドラム１に電線を巻き取る際に用いられる巻き取り治具７であって、裏面７ｂ側から上記つば部６の外面に設けた凹所８に着脱可能に嵌め込まれる嵌入部９が突設され、電線巻取り機のケレー３により回転される突起部１０を表面７ａ側に向けて突設させてなることを特徴としている。
【０００６】
このような構成とすることで、巻き取り治具７の突起部１０をケレー３で回転させる際に、ケレー３による負荷が突起部１０に１点集中しなくなり、巻き取り治具７の応力を嵌入部９を介してつば部６に分散させることができるので、巻き取り治具７の強度を高めることができる一方で、つば部６も破損しにくくなる。そのうえつば部６への巻き取り治具７の取り付け・取り外しが容易であり、しかも、つば部６に対して巻き取り治具７を固定する作業も不要であるため、作業の軽減化を図ることができる。また作業後に巻き取り治具７を取り外すことにより、ドラム１を多段積みするときに、巻き取り治具７が妨げになることもない。また巻き取り治具７が破損しても、巻き取り治具７だけを交換するだけでよいため、従来のドラムのつば部や組立てボルトを破損させてしまう場合と比較して、コスト的にも有利となる。
【０００７】
また上記ケレー３により回転される突起部１０が、巻き取り治具７の中心部Ｍよりもつば部６の中心側Ｎに偏って位置しているのが好ましく、この場合、つば部６の中心部から突起部１０までの距離が短くなり、従って、ケレー３により突起部１０を回すときの遠心力がかかり難くなり、結果、負荷を少なくでき、回しやすくなる。
【０００８】
また上記ケレー３により回転される突起部１０と対向する裏面７ｂ側から嵌入部９を突設させるのが好ましく、この場合、突起部１０の強度アップが図られ、巻き取り治具７の強度が一層向上する。
【０００９】
また上記略筒状の胴部５の両端と一対のつば部６とが複数の組立てボルト２を用いて組み立てられ、各組立てボルト２の頭部２ａがつば部６の外面に突出しており、各組立てボルト２の頭部２ａを結ぶ周方向エリアまたは頭部２ａよりも内側の中心エリアＡ内に、上記ケレー３により回転される突起部１０が位置しているのが好ましく、この場合、従来の組立てボルト２をケレー３で回転させる場合と比較して、ケレー３により突起部１０を回すときの遠心力がかかり難くなり、結果、負荷が少なくなり、回しやすくなる。
【００１０】
また上記つば部６の外面の凹所８に嵌め込まれる嵌入部９は、つば部６の中心部に最も近い凹所１１に嵌め込まれる内側嵌入部９ｂと、内側嵌入部９ｂが嵌め込まれる凹所１１よりも外周側の凹所８に嵌め込まれる外側嵌入部９ａとを備え、上記ケレー３により回転される突起部１０が突設されているのが好ましく、この場合、突起部１０にかかる負荷（点荷重）を外側嵌入部９ａと内側嵌入部９ｂとを介して、つば部６の外面の数カ所に分散させることができると共に、突起部１０と外側嵌入部９ａと内側嵌入部９ｂとを一体に設けることで、突起部１０の強度を高めることができる。
【００１１】
また、本発明にあっては、略筒状の胴部５の両端に一対のつば部６を設けたドラム１に電線を巻き取る際に用いられる巻き取り治具７Ａであって、表面７ａがフラットに形成され、裏面７ｂの一部からドラム１のつば部６の外面に設けた凹所８に着脱可能に嵌め込まれる嵌入部９が突設されると共に、つば部６の外面から突出する治具固定ボルト１２が貫通するボルト孔１５を備え、このボルト孔１５から表面７ａに向けて、電線巻取り機のケレー３により回転される治具固定ボルト１２の先端を突出させてなることを特徴としている。
【００１２】
このような構成とすることで、巻き取り治具７Ａの表面７ａから突出した治具固定ボルト１２の先端をケレー３により回転させる際に、ケレー３からの荷重が治具固定ボルト１２の１点に集中しても、嵌入部９を介してつば部６に分散できるため、巻き取り治具７Ａの強度を高める一方で、つば部６も破損しにくくなる。そのうえ巻き取り治具７Ａの表面７ａ全体がフラットであり、作業後に巻き取り治具７を取り外す必要がなく、作業の手間を省ける。またドラムを多段積みする際に治具固定ボルト１２の先端をつば部６の凹所に挿入すれば、多段積みが可能となる。
【発明の効果】
【００１３】
本発明に係る巻き取り治具にあっては、ドラムのつば部や組立てボルトの破損を防止でき、しかも、ケレーからの負荷をドラムのつば部に分散させることができ、強度的に優れ、そのうえ作業性がよく、コスト的にもきわめて有利なものとなる。
【発明を実施するための最良の形態】
【００１４】
以下、本発明を添付図面に示す実施形態に基いて説明する。
【００１５】
図１（ａ）は本実施形態の巻き取り治具７を表面７ａ側からみた斜視図、図１（ｂ）は裏面７ｂ側からみた斜視図、図１（ｃ）は巻き取り治具７が嵌め込まれるつば部６の外面の格子状凹所８を説明する斜視図である。
【００１６】
図２、図３はドラム１の一例を示している。ドラム１は、略筒状の胴部５の両端に一対のつば部６を取り付けて構成されている。胴部５とつば部６は射出成形などによって成形され、複数の組立てボルト２を用いて組み立てられている。各組立てボルト２の頭部２ａはつば部６の外面にそれぞれ突出している。つば部６の外面には、その中心部に円形の平面部１７が形成され、その外周側にボルト穴１６（図３）及びボルト逃がし溝１１が周方向に設けられ、さらにその外周側には補強用の格子状凹所８が多数設けられている。これら格子状凹所８は、つば部６にかかる荷重を吸収して、つば部６の割れを防止しようとするものである。なお、左右のつば部６は同じ形状をしており、これら左右のつば部６の外面に対して各々、本発明の巻き取り治具７が着脱可能に嵌め込まれるようになっている。なお図２中の４０は電線の巻き始め端部を取り出す孔である。なお、ボルト逃がし溝１１の長さや位置は図２に限定されず、適宜変更自在である。
【００１７】
図１（ａ）（ｂ）に示す巻き取り治具７は、ドラム１に電線を巻き取る際に用いられるものであって、その外郭形状はつば部６にあわせて扇形状に形成されている。
【００１８】
巻き取り治具７の裏面７ｂには、３つの略四角筒状の外側嵌入部９ａと、１つの略四角筒状の内側嵌入部９ｂとが突設されている。なお、嵌入部９ａ，９ｂの形状は、略四角筒状以外にも、角柱・円柱・円筒状・板状であってもよい。
【００１９】
内側嵌入部９ｂは、つば部６の中心部に最も近い凹所であるボルト逃がし溝１１に嵌め込まれる１つの内側嵌入部９ｂと、ボルト逃がし溝１１の外周近傍に設けられる３つの格子状凹所８ａ，８ｂ，８ｃに各々嵌め込まれる３つの外側嵌入部９ａとを備えている。ここで、ボルト逃がし溝１１は、本来は、ドラム１を多段積みする際に、組立てボルト２の頭部２ａを逃がすためのものであるが、本発明ではボルト逃がし溝１１を、内側嵌入部９ｂの嵌め込み部として利用する。これにより、巻き取り治具７はボルト穴付近の３箇所（巻始口を除く）に嵌め込み可能とされる。
【００２０】
上記巻き取り治具７の表面７ａの中央部分はケレー押さえ部１８とされる。表面７ａの片隅には例えば、φ４０の円柱状の突起部１０が突設されている。本例の突起部１０は、巻き取り治具７の表面７ａと一体に構成されているが、別体に構成されていてもよい。また本例では、ケレー３により突起部１０を回転させるときの負荷を少なくするために、突起部１０をつば部６の中心部にできるかぎり近づけるようにしている。そのため、図４（ｃ）に示すように、突起部１０の位置を巻き取り治具７の中心部Ｍよりもつば部６の中心側Ｎに偏って位置させている。また内側嵌入部９ｂの真上に突起部１０を位置させている。さらに本例では、突起部１０をつば部６の組立てボルト２の頭部２ａよりも内側の中心エリアＡ（図４（ａ）の斜線で示す領域）内に位置させている。なお、突起部１０を中心エリアＡよりも外側で且つ組立てボルト２の頭部２ａを結ぶ周方向エリアに位置させるようにしてもよい。
【００２１】
なお上記巻き取り治具７の材質は例えば鋳鉄製とされる。またそのサイズは例えば、１１５（ｍｍ）×１６０（ｍｍ）×８０（ｍｍ）、肉厚はｔ＝５．０（ｍｍ）とされるが、もちろんこれらの数値は一例であり、これに限定されない。
【００２２】
次に動作を説明する。電線を撤去するに際して、先ず、巻き取り治具７を一方または左右両側のつば部６の外面にそれぞれ嵌め込み、その後、左右両側からケレー３を各巻き取り治具７のケレー押さえ部１８に向って押さえつけた状態とする。このとき各巻き取り治具７は、図１（ｃ）に示すボルト逃がし溝１１内に内側嵌入部９ｂが嵌め込まれ、近くの３つの格子状凹所８ａ，８ｂ，８ｃに３つの外側嵌入部９ａがそれぞれ嵌め込まれた状態となっている。従って、図４（ａ）の矢印イで示す反時計方向にケレー３を回転させると、突起部１０が回転し、これによりドラム１が回転して電線が巻き取られる。例えば、つば部６の直径が９１０ｍｍ、胴部５の直径が４５０ｍｍのドラム１に電線を巻くと５００ｋｇになる。なお、電線の撤去作業後には、ケレー３を外し、巻き取り治具７をつば部６から取り外す。
【００２３】
しかして、巻き取り治具７の突起部１０をケレー３で回転させる際に、巻き取り治具７の４つの嵌入部９がつば部６の４箇所に嵌め込まれているため、ケレー３による負荷が突起部１０に１点集中しなくなり、巻き取り治具７の応力をつば部６に分散させることができる。ちなみに、嵌入部９は１箇所でもよいが、複数箇所あることによって、より一層、巻き取り冶具７の応力の分散に繋がる。つまり、突起部１０にかかる負荷（点荷重）を裏面７ｂ側の４つの嵌入部９を介して、つば部６の外面の４箇所に分散させることができるので、巻き取り治具７の強度を高めることができ、しかも、つば部６の１点に荷重が集中しないため、従来のようにつば部６の破損も防止できる。そのうえ巻き取り治具７は突起部１０と複数の外側嵌入部９ａと内側嵌入部９ｂとが一体に設けられ、且つ突起部１０の真下に内側嵌入部９ｂが位置しているので、突起部１０の強度アップが図られ、結果、巻き取り治具７の強度を高めることができる。
【００２４】
しかも、突起部１０は、巻き取り治具７の中心部Ｍよりもつば部６の中心側Ｎに偏って設けられているので、つば部６の中心部から突起部１０までの距離が短くなり、結果、突起部１０を回したときの遠心力がかかり難くなる。つまり組立てボルト２の頭部２ａよりも内側の中心エリアＡ内に、突起部１０を位置させているので、従来の組立てボルト２をケレー３で回転させる場合と比較して、ケレー３により突起部１０を回すときの遠心力がかかり難くなる。結果、負荷を少なくして、つば部６を回しやすくできる。そのうえ本例では、図４（ｃ）に示すように、巻き取り治具７の内端部分がつば部６の中心の平面部１７に当たっているので、つば部６の平面部１７と格子状凹所８ａ，８ｂ，８ｃのリブ等を利用して巻き取り治具７を強固に保持できるようになり、つば部６に対する負荷の軽減を一層図ることができる。
【００２５】
また本例では、巻き取り治具７の表面７ａをケレー３で押え付けるため、ケレー３の回転時に巻き取り治具７がドラム１から外れる心配がなく、安定して挟持できるようになる。また巻き取り治具７の各嵌入部９の長さをそれぞれ長くして、格子状凹所８ａ，８ｂ，８ｃに対して深く嵌まり込んでいるので、ケレー３を突起部１０から外したときに、巻き取り治具７が簡単に落下してしまうこともない。それでいて、巻き取り治具７の取り付け・取り外しが容易であり、しかもつば部６に巻き取り治具７を固定する作業が不要となるため、作業の軽減化を図ることができる。また作業後に巻き取り治具７を取り外すことにより、ドラム１を多段積みするときに、巻き取り治具７が妨げになることもない。また巻き取り治具７の外周形状を、つば部６の形状にあわせて扇形状に形成したので、美観が向上すると共に、尖った角をなくすことができ、取り扱い性もよくなる。
【００２６】
また、ケレー３の種類として、図４（ａ）（ｂ）に示すものに限らず、例えば、図７（ａ）に示すような挟み形式のものを用いてもよく、この場合は、ケレー３によって突起部１０を右回転、左回転のいずれにも対応可能となる。つまり、１種類の巻き取り治具７で各種サイズのケレー３や、各種ドラムのつば部のサイズにも対応できる。とくに本例では円柱状の突起部１０であるため、ケレー３がどの角度で当接しても安定した回転動作が得られ、ドラム１の回転動作をスムーズにすることができる。さらに、巻き取り治具７は４つの嵌入部９と１つの突起部１０を備えたシンプルな構造であるため、巻き取り治具７の小型、軽量化を達成できる。なお、仮りに巻き取り治具７が破損しても、巻き取り治具７だけを交換するだけでよいため、コストが安くてすむという利点もある。
【００２７】
図５は他の実施形態である。本例の巻き取り治具７Ａは、表面７ａがフラットに形成され、裏面７ｂの一部からドラム１のつば部６の外面に設けた格子状凹所８に着脱可能に嵌め込まれる複数の嵌入部９が突設される。本例では３つの外側嵌入部９ａと、２つの内側嵌入部９ｂとを備えている。また中央の外側嵌入部９ａの内側には、治具固定ボルト１２が貫通するボルト孔１５が穿設され、つば部６の外面から突出する治具固定ボルト１２の先端をボルト孔１５から巻き取り治具７Ａの表面７ａに向けて突出させると共に、突出したボルト部分にナット４１を締結してある。また本例では、巻き取り治具７Ａをケレー３で押え付ける際に、ケレー３が組立てボルト２と接触しないように、組立てボルト２から避けた位置の格子状凹所８に、巻き取り治具７Ａを治具固定ボルト１２にて固定している。ここで、治具固定ボルト１２をつば部６の外面から突出させる方法として、例えば、つば部６の水抜き穴或いは新たな穴を形成し、つば部６の裏面側からその穴に治具固定ボルト１２を挿入することが考えられる。なお、ケレー３による電線の巻き取りは前記実施形態と同様である。
【００２８】
しかして、図７（ａ）に示す中央に孔のあいた挟み形状のケレー３に治具固定ボルト１２のナット４１を係合させ、ケレー３を回転させることによって電線を巻き取ることがき、またこのときケレー３からの荷重が治具固定ボルト１２の１点に集中しても、複数の嵌入部９ａ，９ｂを介してつば部６の数カ所に分散できるため、上記図１の実施形態と同様な作用効果が得られる。また巻き取り治具７Ａの表面７ａ全体がフラットになっているので、電線巻き取り後も、巻き取り治具７Ａの取り外しは不要となる。例えば電線を巻取り後にドラム１を手で転がすときでも、巻き取り治具７Ａの外周形状は滑らかな扇形状をしているため、巻き取り治具７Ａによって手をケガする心配はない。また、ドラム１を多段積みするときに、巻き取り治具７Ａの表面７ａに突出している治具固定ボルト１２の先端及びナット４１を隣接するドラム１のつば部６のいずれかの格子状凹所８に挿入することで、多段積みが可能となる。もちろん、電線巻取り後に、ナット４１を外して治具固定ボルト１２及び巻き取り治具７Ａを取り外してもよい。また本例ではナット４１にケレー３を係合させるため、右回転、左回転のいずれも可能となり、使い勝手が良好となる。
【００２９】
ちなみに、本例ではナット４１にケレー３を係合させて回転させるため、電線を巻き取った後にナット４１が緩んで、治具固定ボルト１２が外れるおそれがある。そのため、例えば、ケレー３をナット４１ではなく、治具固定ボルト１２の先端部分に係合させるようにしてもよいものである。
【図面の簡単な説明】
【００３０】
【図１】（ａ）は本発明の一実施形態に用いる巻き取り治具を表面側からみた斜視図、（ｂ）は裏面側からみた斜視図、（ｃ）はつば部の格子状凹所付近の斜視図である。
【図２】同上のドラムの斜視図である。
【図３】同上のドラムの断面図である。
【図４】（ａ）（ｂ）は同上の巻き取り治具の突起部をケレーで回転させる場合の説明図、（ｃ）は巻き取り治具をつば部に嵌め込んだ状態を説明する断面図である。
【図５】（ａ）は他の実施形態の巻き取り治具の斜視図、（ｂ）はこの巻き取り治具をつば部に治具固定ボルトで固定した状態の斜視図である。
【図６】従来の電線巻取り機のケレーで電線を巻き取る場合の斜視図である。
【図７】（ａ）は従来のケレーで組立てボルトの先端を回転させる場合の斜視図、（ｂ）、（ｃ）は組立てボルトやつば部が破損した場合の斜視図である。
【符号の説明】
【００３１】
１  ドラム
２  組立てボルト
２ａ  頭部
３  ケレー
５  胴部
６  つば部
７，７Ａ  巻き取り治具
７ａ  表面
７ｂ  裏面
８  格子状凹所
９  嵌入部
９ａ  内側嵌入部
９ｂ  外側嵌入部
１０  突起部
１１  凹所
Ａ  中心エリア
Ｍ  巻き取り治具の中心部
Ｎ  つば部の中心側
【図１】
2005187103.tif 000003
【図２】
2005187103.tif 000004
【図３】
2005187103.tif 000005
【図４】
2005187103.tif 000006
【図５】
2005187103.tif 000007
【図６】
2005187103.tif 000008
【図７】
2005187103.tif 000009